(57)【要約】 【課題】  変化した断面のリブを有し、回転翼とフレームの間で互いに影響して発生した雑音を減少することができるファンフレームを提供する。【解決手段】  開孔を有するハウジング、前記ハウジングの中に位置するモーターベース、および前記開孔の周縁と前記モーターベースの間に設置され、モーターベースを支える複数のリブを含み、前記モーターベースから前記ハウジングに延伸する前記各リブの断面は、等しい断面でないファンフレーム。【選択図】      図３Ｅ
2006017117.tif 000002
【特許請求の範囲】
【請求項１】
開孔を有するハウジング、
前記ハウジングの中に位置するモーターベース、および
前記開孔の周縁と前記モーターベースの間に設置され、モーターベースを支える複数のリブを含み、
前記モーターベースから前記ハウジングに延伸する前記各リブの断面は、等しい断面でないファンフレーム。
【請求項２】
前記モーターベースから前記ハウジングに延伸する前記各リブの幅は、等しい幅でない請求項１に記載のファンフレーム。
【請求項３】
前記モーターベースから前記ハウジングの前記各リブの厚さは、等しい厚さでない請求項１に記載のファンフレーム。
【請求項４】
前記モーターベースに接続した前記各リブの幅は、前記ハウジングに接続した前記各リブの幅より大きく、且つ、前記モーターベースに接続した前記各リブの厚さは、前記ハウジングに接続した前記各リブの厚さより小さい請求項１に記載のファンフレーム。
【請求項５】
前記モーターベースに接続した前記各リブの幅は、前記ハウジングに接続した前記各リブの幅より小さく、且つ、前記モーターベースに接続した前記各リブの厚さは、前記ハウジングに接続した前記各リブの厚さより大きい請求項１に記載のファンフレーム。
【請求項６】
ファンフレーム、回転翼とモーターを含むファンであって、
前記ファンフレームは、
開孔を有するハウジング、
前記ハウジングの中に位置するモーターベース、および
前記開孔の周縁と前記モーターベースの間に設置され、モーターベースを支える複数のリブを含み、
前記モーターベースから前記ハウジングに延伸する前記各リブの断面は、等しい断面でないファン。
【請求項７】
前記開孔は、前記ハウジングの両端にそれぞれ吸入口と排出口を形成し、前記モーターベースと前記各リブは、前記排出口に位置される請求項６に記載のファン。
【請求項８】
前記モーターベースから前記ハウジングに延伸する前記各リブの幅は、等しい幅でない、または前記モーターベースから前記ハウジングに延伸する前記各リブの厚さは、等しい厚さでない請求項６に記載のファン。
【請求項９】
前記モーターベースに接続した前記各リブの幅は、前記ハウジングに接続した前記各リブの幅より大きく、且つ、前記モーターベースに接続した前記各リブの厚さは、前記ハウジングに接続した前記各リブの厚さより小さい請求項６に記載のファン。
【請求項１０】
前記モーターベースに接続した前記各リブの幅は、前記ハウジングに接続した前記各リブの幅より小さく、且つ、前記モーターベースに接続した前記各リブの厚さは、前記ハウジングに接続した前記各リブの厚さより大きい請求項６に記載のファン。
【発明の詳細な説明】
【技術分野】
【０００１】
本発明は、ファンフレームに関し、特に、変化した断面のリブを有するファンフレームに関するものである。
【背景技術】
【０００２】
電子装置機能の不断の向上に伴って、熱放散装置または熱放散システムは、既に現在の電子装置で、なくてはならない配備の一つとなっている。電子装置が発する熱エネルギーに適当な散逸を施さなければ、パフォーマンスが落ち、延いては電子装置を高熱で故障させる可能性がある。熱放散装置は、マイクロ電子デバイス（例えば、集積回路）にとっては重要で、集積度の増加とパッケージング技術の進歩に伴って、集積回路の面積を縮小させていることから、各単位の面積が累積する熱エネルギーもそれに応じて高くなるため、高効率の熱放散の熱放散装置は、電子産業界が積極的に研究開発をしている対象である。
【０００３】
現在の熱放散システムで最も広範囲に用いられる熱放散装置は、ファンである。従来のファンの構造は、主に、ファンフレーム、ハブ、回転翼と、モーターから構成される。図１Ａと図１Ｂを参照下さい。従来のファンフレームの概略図を示している。従来のファンフレーム１１ａ、１１ｂは、それぞれ複数のリブ１３ａ、１３ｂによってモーターベース１２ａ、１２ｂと接続しており、且つ、リブ１３ａ、１３ｂは、モーターベース１２ａ、１２ｂを支える。複数のリブ１３ａ、１３ｂの形は、例えば、円柱型、円弧型、流線型などである。図１Ａで見られるように、リブ１３ａの断面形状は、三角形であり、図１Ｂで見られるように、リブ１３ｂの断面形状は、円形または長方形である。しかし、従来のどのリブも全て、モーターベース１２ａ、１２ｂから特定曲線（図１Ａ図のように）または直線（図１Ｂ図のように）で、ファンフレーム１１ａ、１１ｂに延伸する同じ断面を有する。
【０００４】
図１Ｃを参照する。従来のフレームを用いたファン全体の断面概略図を示している。当業者によく知られるように、仮にリブ１３が直線でない方式でモーターベース１２とファンフレーム１１に接続した時、実際の断面は、連続しない断面が生じるが、説明を容易にするために、リブ１３の側面が全て図面に示される。また、従来のフレーム１１ａ、または１１ｂも、この図を用いて説明することができる。ファン１０の複数の回転翼１４は、放射状でその中に設置されたモーター（図示せず）のハブ１５の外周に接続される。
【０００５】
回転翼１４が回転している過程では、リブ１３が全て、モーターベース１２から特定曲線または直線で、ファンフレーム１１に延伸する同じ断面であることから、回転翼１４の下縁とリブ１３の間が互いに平行する。ファンの体積の小型化の傾向に伴って、回転翼１４の下縁とリブ１３の間の距離が接近し、その通気抵抗の影響で大きな音量が発生する。また、ファンの回転速度が上がった時、そこで発生する雑音レベルも対応して上がる。
【発明の開示】
【発明が解決しようとする課題】
【０００６】
よって、上述の問題を解決するために、本発明は、変化した断面のリブを有し、回転翼とフレームの間で互いに影響して発生した雑音を減少することができるファンフレームを提供する。
【課題を解決するための手段】
【０００７】
本発明の目的に基づいて、本発明は、ハウジング、モーターベースと複数のリブを含むファンフレームを提供する。ハウジングは、開孔を有し、モーターベースは、ハウジングの中に位置する。リブは、開孔とモーターベースの間に設置され、モーターベースを支える。モーターベースからハウジングに延伸する各リブの断面は、等しい断面でない。モーターベースからハウジングに延伸する各リブの幅は、等しい幅、または等しい厚さでない。
【発明の効果】
【０００８】
本発明の変化した断面のリブを有するファンフレームのファンによれば、回転翼とフレームの間で互いに影響して発生する雑音を効果的に低減することができる。
【発明を実施するための最良の形態】
【０００９】
本発明についての目的、特徴、長所が一層明確に理解されるよう、以下に実施形態を例示し、図面を参照にしながら、詳細に説明する。
【実施例】
【００１０】
図２Ａ、２Ｂを参照する。本発明の好ましい実施例に基づいたファンフレームの概略図を示している。ファンフレーム２１は、ハウジング２７、モーターベース２２と複数のリブ２３を含む。ハウジング２７は、開孔２６を有し、モーターベース２２は、ハウジング２７の中に位置する。リブ２３は、開孔２６とモーターベース２２の間に設置され、モーターベース２２を支える。ハウジング２７とモーターベース２２の間に接続された複数のリブ２３の配列形式は、例えば、輻射型、軸流式回転翼型などであり、リブ２３の形式は、例えば、円柱型、円弧型、流線型などである。
【００１１】
モーターベース２２からハウジング２７に延伸する各リブ２３の幅は、等しい幅でない。図２の左側のファンフレーム２１に示すように、各リブ２３がモーターベース２２に接続する所の幅は、リブ２３がハウジング２７に接続する幅より大きい。つまり、モーターベース２２からハウジング２７に延伸するリブ２３の幅は、徐々に減少した変化であり、この幅の変化は、直線傾斜で徐々に減少する変化、または曲線傾斜で徐々に減少する変化であることができる。または、図２の右側のファンフレーム２１に示すように、各リブ２３がハウジング２７に接続する所の幅は、リブ２３がモーターベース２２に接続する幅より大きい。つまり、モーターベース２２からハウジング２７に延伸するリブ２３の幅は、徐々に減少した変化であり、この幅の変化は、直線傾斜で徐々に減少する変化、または曲線傾斜で徐々に減少する変化であることができる。
【００１２】
続いて、図３Ａ〜図３Ｃを参照下さい。本発明の好ましい実施例の各種のファンフレームを用いたファン全体の断面概略図を示している。仮にリブ２３が直線でない方式でモーターベース２２とハウジング２７に接続した時、実際の断面は、連続しない断面が生じるが、説明を容易にするために、リブ２３の側面が全て図面に示される。また、回転翼２４も、比較的明確であるが、その実際の断面を完全に図で見ることはできない。
【００１３】
ファン２０の構造は、主に、ファンフレーム２１、ハブ２５、回転翼２４と、モーターから構成される。ハウジング２７の両端の開孔２６は、それぞれファンフレーム２１の吸入口２１１と排出口２１２を形成し、モーターベース２２は、好ましくは、開孔２６の中心に位置し、且つ、ファンフレーム２１の排出口２１２に位置する。
【００１４】
ファン２０の複数の回転翼２４は、放射状でハブ２５内に設置されたモーター（未表示）のハブ２５の周縁に接続される。モーターベース２２からハブ２７の各リブ２３の厚さは、等しい厚さでない。図３Ａに示すように、例えば、各リブ２３がモーターベース２２に接続する厚さは、リブ２３がハウジング２７に接続する厚さより大きい。つまり、モーターベース２２からハウジング２７に延伸するリブ２３の厚さは、徐々に減少した変化となる。または、図３Ｂに示すように、リブ２３がハウジング２７に接続する厚さは、リブ２３がモーターベース２２に接続する厚さより大きい。つまり、モーターベース２２からハウジング２７に延伸するリブ２３の厚さは、徐々に減少した変化となる。
【００１５】
図３Ａ乃至３Ｄに見られるように、リブの厚さが徐々に増加、または減少する変化でも、この厚さの変化は、直線傾斜、または曲線傾斜で徐々に増加、または減少する変化であることができる。リブの厚さは、徐々に増加、または減少する変化である他に、曲線変化であることができる。即ち、図３Ｅに示すように、リブ２３の厚さが最も大きい所と、最も小さい所は、それぞれ、リブ２３がハウジング２７に接続する所、モーターベース２２に接続する所、または両者の間のどちらかにある位置に位置する。
【００１６】
回転翼２４が回転する時、回転翼２４の周縁に近いほど、流体の流速が大きくなる。即ち、ハウジング２７に近い所の流体の流速は、モーターベース２２に近い所の流速に比べ、大きい。モーターベース２２からハウジング２７に延伸する各リブ２３の幅が等しい幅でないからである。回転翼２４の回転の方向から見ると、この設計は、リブのハウジング２７に近い所の比較的早い流速の流体への影響を低下させることができ、通気抵抗を減少させ、雑音を低減することができる。また、均等でない厚さのリブの設計は、リブ２３と回転翼２４の下縁間の距離を不同一にさせる。よって、回転翼２４が回転する時に、リブ２３との間の互いの影響を低下させることができ、通気抵抗を減少させ、雑音を低減する目的を達成する。
【００１７】
同時に、回転翼２４の回転方向に合わせて作られた、異なる幅のリブ２３の設計は、リブの幅が比較的小さい所に適当な厚みの厚さを加えることができ、リブ２３が細くなりすぎてフレーム２１の構造の強度に影響するのを防ぐ。例えば、図２の左側のファンフレーム２１では、各リブ２３がモーターベース２２に接続する幅は、リブ２３がハウジング２７に接続する幅より大きい。また、変化した厚さの設計が各リブに合わせられるため、図３Ｂで示すように、各リブ２３がハウジング２７に接続する厚さは、リブ２３がモーターベース２２に接続する厚さより大きい。図２の右側のファンフレーム２１では、各リブ２３がハウジング２７に接続する幅は、リブ２３がモーターベース２２に接続する幅より大きい。また、変化した厚さの設計が各リブに合わせられるため、図３Ａで示すように、各リブ２３がモーターベース２２に接続する厚さは、リブ２３がハウジング２７に接続する厚さより大きい。
【００１８】
リブ２３の幅と厚さの変化は、同時に、直線変化であることができ、曲線変化であることもできる。よって、モーターベース２２からハウジング２７に延伸する各リブ２３の断面を等しい断面でなくさせ、従来の距離が比較的近い回転翼２４の下縁とリブの間で、通気抵抗の影響により大きな音量が発生するのを防ぐことができる。また、ハウジング２７は、ほぼ長方形、円形、楕円形、菱形またはその他の形状であることができる。
【００１９】
本発明のファンフレームのファンと従来のファンを用いて騒音試験をした時、比較後、明らかにわかることができる。本発明のファンフレームを用いたファンは、回転翼が回転して発生する特定雑音周波数の範囲で、前述の周波数範囲の相対突出雑音比を明らかに低下することができる。例えば、２００〜２０００Ｈｚの間で、従来のファンの回転翼が回転する時に検出された最高相対突出雑音比は、２０ｄＢであり、本発明のファンフレームを用いたファンでは、回転翼が回転する時に検出された最高相対突出雑音比は、５ｄＢであり、発生させた雑音品質に著しい改善がある。よって、本発明のファンフレームを用いた変化した断面のリブの設計のファンは、回転翼とフレームの間で互いに影響して発生する雑音を効果的に低減することができる。
【００２０】
しかし、本発明はこれに限定しておらず、例えば、モーターベース２２からハウジング２７の間の各リブ２３の断面が等しい断面でない設計以外に、ハウジング２７を曲面で徐々に縮小し、回転翼２４の外縁に円弧の設計を作ることで、回転翼２４の面積を増すことができ、ファン２０の全体的な特性を上げることができる。雑音を低下する効果があること以外、円弧型に内側に縮小したフレームの周縁と円弧型の回転翼の設計により、更に回転翼２４とハウジング２７の間の隙間を効果的に遮蔽し、ファンに同時に遮光の機能を持たせることができる。
【００２１】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２２】
【図１Ａ】従来のファンフレームの概略図を示す。
【図１Ｂ】従来のファンフレームの概略図を示す。
【図１Ｃ】従来のフレームを用いたファン全体の断面概略図を示す。
【図２Ａ】本発明の好ましい実施例に基づいたファンフレームの概略図を示す。
【図２Ｂ】本発明の好ましい実施例に基づいたファンフレームの概略図を示す。
【図３Ａ】本発明の好ましい実施例のファンフレームを用いたファン全体の断面概略図を示す。
【図３Ｂ】本発明の好ましい実施例のファンフレームを用いたファン全体の断面概略図を示す。
【図３Ｃ】本発明の好ましい実施例のファンフレームを用いたファン全体の断面概略図を示す。
【図３Ｄ】本発明の好ましい実施例のファンフレームを用いたファン全体の断面概略図を示す。
【図３Ｅ】本発明の好ましい実施例のファンフレームを用いたファン全体の断面概略図を示す。
【符号の説明】
【００２３】
１０、２０  ファン
１１、１１ａ、１１ｂ、２１  ファンフレーム
１２、１２ａ、１２ｂ、２２  モーターベース
１３、１３ａ、１３ｂ、２３  リブ
１４、２４  回転翼
１５、２５  ハブ
２１１  吸入口
２１２  排出口
２６  開孔
２７  ハウジング
【図１Ａ】
2006017117.tif 000003
【図１Ｂ】
2006017117.tif 000004
【図１Ｃ】
2006017117.tif 000005
【図２Ａ】
2006017117.tif 000006
【図２Ｂ】
2006017117.tif 000007
【図３Ａ】
2006017117.tif 000008
【図３Ｂ】
2006017117.tif 000009
【図３Ｃ】
2006017117.tif 000010
【図３Ｄ】
2006017117.tif 000011
【図３Ｅ】
2006017117.tif 000012